(57)【要約】【課題】記録媒体の記録内容の構成を簡単に知ることができるようにする。【解決手段】或るタイトルの再生中に操作部６でディスク記録内容構成情報呼び出し操作をすると、コントロール部１０は再生を一時中断して、ＤＶＤビデオディスク１から事前にデータストリーム再生部２により読み出し、ナビゲーション情報記憶部４に記憶させておいたＶＭＧＩ、ＶＴＳＩなどを用いて、ＤＶＤビデオディスク１に記録されたタイトル数、実体データ付のタイトルメニューの有無、実体データ付のルートメニュー及び下位メニュー（チャプターメニュー、アングルメニュー、オーディオメニュー、サブタイトルメニュー）の有無、アングル切り換え可能なタイトルの有無、カラオケ機能が使用可能なタイトルの有無、視聴年齢制限機能が使用可能なタイトルの有無を判別し、記録内容構成案内映像作成部８によりディスク記録内容構成情報の映像信号を作成して出力させる。【選択図】　　　　図１
2004048396.tif 000002
【特許請求の範囲】
【請求項１】
主映像、サブピクチャ、音声を含む１または複数のタイトルのプレゼンテーション情報と、プレゼンテーション情報の再生制御に用いるナビゲーション情報とが記録された記録媒体に対する各種再生指示操作を行う第１の操作手段と、
ナビゲーション情報を一時記憶するナビゲーション情報記憶手段と、
ユーザによる各種再生指示操作に従い前記記録媒体からナビゲーション情報とプレゼンテーション情報を読み出し、前者のナビゲーション情報をナビゲーション情報記憶手段に記憶させながら、当該ナビゲーション情報を用いて後者のプレゼンテーション情報を再生して主映像のビデオ信号とオーディオ信号、または主映像にサブピクチャを合成したビデオ信号とオーディオ信号を出力したり、記録媒体に対する記録情報の検索をしたりする再生手段と、
記録媒体の記録内容の構成の表示を指示する第２の操作手段と、
第２の操作手段で記録媒体の記録内容の構成の表示指示操作がされると、記録媒体から読み出されてナビゲーション情報記憶手段に記憶されたナビゲーション情報に基づき再生手段を制御して、記録媒体の内、少なくともタイトルメニュー画面を含む各種メニュー画面用のプレゼンテーション情報を検索させ、検索結果から各種メニュー画面の存否を判別するとともに、記録媒体から読み取られてナビゲーション情報記憶手段に記憶されたナビゲーション情報に基づき、記録タイトル数、アングル切り換え可能なタイトルの有無、試聴年齢制限機能の使用可能なタイトルの有無、カラオケ機能の使用可能なタイトルの有無の内の少なくとも１つを判別する記録内容構成判別手段と、
記録内容構成判別手段の判別結果である記録内容構成の案内映像信号を作成して出力する記録内容構成案内映像作成手段と、
を備えたことを特徴とする再生装置。
【請求項２】
記録内容構成の案内映像信号を再生手段の出力するビデオ信号に合成する合成手段を設けたこと、
を特徴とする請求項１記載の再生装置。
【請求項３】
主映像、サブピクチャ、音声を含む１または複数のタイトルのプレゼンテーション情報と、プレゼンテーション情報の再生制御に用いるナビゲーション情報とが記録された記録媒体に対する各種再生指示操作を行う第１の操作手段と、
ナビゲーション情報を一時記憶するナビゲーション情報記憶手段と、
ユーザによる各種再生指示操作に従い、前記記録媒体からナビゲーション情報とプレゼンテーション情報を読み出し、前者のナビゲーション情報をナビゲーション情報記憶手段に記憶させながら、当該ナビゲーション情報を用いて後者のプレゼンテーション情報を再生して主映像のビデオ信号とオーディオ信号、または主映像にサブピクチャを合成したビデオ信号とオーディオ信号を出力したりする再生手段と、
或るタイトルの記録内容の構成の表示を指示する第２の操作手段と、
第２の操作手段で或る所望タイトルの記録内容構成の表示指示操作がされると、記録媒体から読み取られてナビゲーション情報記憶手段に記憶されたナビゲーション情報中の当該所望タイトルに関する属性情報に基づき当該タイトルの記録内容構成を判別する記録内容構成判別手段と、
記録内容構成判別手段の判別結果である記録内容構成の案内映像信号を作成して出力する記録内容構成案内映像作成手段と、
を備えたことを特徴とする再生装置。
【請求項４】
記録内容構成の案内映像信号を再生手段の出力するビデオ信号に合成する合成手段を設けたこと、
を特徴とする請求項３記載の再生装置。
【請求項５】
主映像、サブピクチャ、音声を含む１または複数のタイトルのプレゼンテーション情報と、プレゼンテーション情報の再生制御に用いるナビゲーション情報とが記録された記録媒体に対する各種再生指示操作を行う第１の操作手段と、
ナビゲーション情報を一時記憶するナビゲーション情報記憶手段と、
ユーザによる各種再生指示操作に従い、前記記録媒体からナビゲーション情報とプレゼンテーション情報を読み出し、前者のナビゲーション情報をナビゲーション情報記憶手段に記憶させながら、当該ナビゲーション情報を用いて後者のプレゼンテーション情報を再生して主映像のビデオ信号とオーディオ信号、または主映像にサブピクチャを合成したビデオ信号とオーディオ信号を出力したり、記録媒体中の情報検索をしたりする再生手段と、
或るタイトルの記録内容の構成の表示を指示する第２の操作手段と、
第２の操作手段で或る所望タイトルの記録内容構成の表示指示操作がされると、再生手段を制御して、記録媒体のナビゲーション情報中の当該タイトルに関する属性情報を検索させ、該検索した属性情報に基づき当該タイトルについての記録内容構成を判別する記録内容構成判別手段と、
記録内容構成判別手段の判別結果である記録内容構成の案内映像表示信号を作成して出力する記録内容構成案内映像作成手段と、
を備えたことを特徴とする再生装置。
【請求項６】
記録内容構成の案内映像信号を再生手段の出力するビデオ信号に合成する合成手段を設けたこと、
を特徴とする請求項５記載の再生装置。
【請求項７】
主映像、サブピクチャ、音声を含む１または複数のタイトルのプレゼンテーション情報と、プレゼンテーション情報の再生制御に用いるナビゲーション情報が記録された記録媒体に対する各種再生指示操作を行う第１の操作手段と、
ナビゲーション情報を一時記憶するナビゲーション情報記憶手段と、
ユーザによる各種再生指示操作に従いながら前記記録媒体からナビゲーション情報とプレゼンテーション情報を読み出し、前者のナビゲーション情報をナビゲーション情報記憶手段に記憶させながら、該ナビゲーション情報を用いて後者のプレゼンテーション情報を再生して主映像のビデオ信号とオーディオ信号、または主映像にサブピクチャを合成したビデオ信号とオーディオ信号を出力したり、記録媒体に対する情報検索をしたりする再生手段と、
或るタイトルの記録内容の構成の表示を指示する第２の操作手段と、
第２の操作手段で或る所望タイトルの記録内容構成の表示指示操作がされると、記録媒体から読み取られてナビゲーション情報記憶手段に記憶されたナビゲーション情報に基づき再生手段を制御して、当該タイトルに関するナビゲーション情報中の属性情報に対応するプレゼンテーション情報の実体データを検索させて、当該タイトルに関するナビゲーション情報中の属性情報の内、対応するプレゼンテーション情報の実体データの存在する属性情報に基づき当該タイトルについての記録内容構成を判別する記録内容構成判別手段と、
判別手段の判別したタイトル記録内容構成の案内映像信号を作成して出力する記録内容構成案内映像作成手段と、
を備えたことを特徴とする再生装置。
【請求項８】
記録内容構成の案内映像信号を再生手段の出力するビデオ信号に合成する合成手段を設けたこと、
を特徴とする請求項７記載の再生装置。
【請求項９】
主映像、サブピクチャ、音声を含む１または複数のタイトルのプレゼンテーション情報と、プレゼンテーション情報の再生制御に用いるナビゲーション情報が記録された記録媒体に対する各種再生指示操作を行う第１の操作手段と、
ナビゲーション情報を一時記憶するナビゲーション情報記憶手段と、
ユーザによる各種再生指示操作に従いながら前記記録媒体からナビゲーション情報とプレゼンテーション情報を読み出し、前者のナビゲーション情報をナビゲーション情報記憶手段に記憶させながら、該ナビゲーション情報を用いて後者のプレゼンテーション情報を再生して主映像のビデオ信号とオーディオ信号、または主映像にサブピクチャを合成したビデオ信号とオーディオ信号を出力したり、記録媒体に対する情報検索をしたりする再生手段と、
タイトルの記録内容の構成の表示を指示する第２の操作手段と、
或るタイトルの再生中に第２の操作手段で記録内容構成の表示指示操作がされると、再生手段を制御して、記録媒体の当該或るタイトルに関するナビゲーション情報中の属性情報を検索させたのち更に、当該或るタイトルに関するプレゼンテーション情報中の当該属性情報に対応する実体データを検索させて、当該或るタイトルに関するナビゲーション情報中の属性情報の内、対応するプレゼンテーション情報の存在する属性情報に基づき当該或るタイトルの記録内容構成を判別する記録内容構成判別手段と、
判別手段の判別結果である記録内容構成の案内映像信号を作成して出力する記録内容構成案内映像作成手段と、
を備えたことを特徴とする再生装置。
【請求項１０】
記録内容構成の案内映像信号を再生手段の出力するビデオ信号に合成する合成手段を設けたこと、
を特徴とする請求項９記載の再生装置。
【請求項１１】
主映像、サブピクチャ、音声を含む１または複数のタイトルのプレゼンテーション情報と、プレゼンテーション情報の再生制御に用いるナビゲーション情報が記録された記録媒体に対する各種再生指示操作を行う第１の操作手段と、
ナビゲーション情報を一時記憶するナビゲーション情報記憶手段と、
ユーザによる各種再生指示操作に従いながら前記記録媒体からナビゲーション情報とプレゼンテーション情報を読み出し、前者のナビゲーション情報をナビゲーション情報記憶手段に記憶させながら、該ナビゲーション情報を用いて後者のプレゼンテーション情報を再生して主映像のビデオ信号とオーディオ信号、または主映像にサブピクチャを合成したビデオ信号とオーディオ信号を出力したり、記録媒体に対する情報検索をしたりする再生手段と、
或るタイトルの記録内容の構成の表示を指示する第２の操作手段と、
第２の操作手段で或る所望タイトルの記録内容構成の表示指示操作がされると、記録媒体から読み取られてナビゲーション情報記憶手段に記憶されたナビゲーション情報のビデオマネージャ情報中での当該或る所望タイトルの属性情報と、記録媒体から読み取られてナビゲーション情報記憶手段に記憶された当該或る所望タイトルを含むビデオタイトルセット内のナビゲーション情報中での当該或る所望タイトルの属性情報を照合し、一致する属性情報については該一致する属性情報に基づき記録内容構成を判別し、一致しない属性情報については、再生手段を制御して当該或る所望タイトルに関するプレゼンテーション情報中の当該属性情報に対応する実体データを検索させて、対応するプレゼンテーション情報の存在する属性情報に基づき当該或る所望タイトルの記録内容構成を判別する記録内容構成判別手段と、
記録内容構成判別手段で判別された当該或る所望タイトルの記録内容構成を表す記録内容構成の案内映像信号を作成して出力する記録内容構成案内映像作成手段と、
を備えたことを特徴とする再生装置。
【請求項１２】
記録内容構成の案内映像信号を再生手段の出力するビデオ信号に合成する合成手段を設けたこと、
を特徴とする請求項１１記載の再生装置。
【請求項１３】
主映像、サブピクチャ、音声を含む１または複数のタイトルのプレゼンテーション情報と、プレゼンテーション情報の再生制御に用いるナビゲーション情報が記録された記録媒体に対する各種再生指示操作を行う第１の操作手段と、
ナビゲーション情報を一時記憶するナビゲーション情報記憶手段と、
ユーザによる各種再生指示操作に従いながら前記記録媒体からナビゲーション情報とプレゼンテーション情報を読み出し、前者のナビゲーション情報をナビゲーション情報記憶手段に記憶させながら、該ナビゲーション情報を用いて後者のプレゼンテーション情報を再生して主映像のビデオ信号とオーディオ信号、または主映像にサブピクチャを合成したビデオ信号とオーディオ信号を出力したり、記録媒体に対する情報検索をしたりする再生手段と、
タイトルの記録内容の構成の表示を指示する第２の操作手段と、
或るタイトルの再生中に第２の操作手段で記録内容構成の表示指示操作がされると、記録媒体から読み取られてナビゲーション情報記憶手段に記憶されたナビゲーション情報のビデオマネージャ情報中での当該或るタイトルの属性情報と、再生手段を制御して記録媒体の内、当該或るタイトルを含むビデオタイトルセット内のナビゲーション情報から検索させた当該或るタイトルの属性情報を照合し、一致する属性情報については該一致する属性情報に基づき記録内容構成を判別し、一致しない属性情報については、更に再生手段を制御して当該属性情報に対応する実体データを検索させて、対応するプレゼンテーション情報の存在する属性情報に基づき当該或るタイトルの記録内容構成を判別する記録内容構成判別手段と、
記録内容構成判別手段で判別した当該或るタイトルの記録内容構成を表す記録内容構成の案内映像信号を作成して出力する記録内容構成案内映像作成手段と、
を備えたことを特徴とする再生装置。
【請求項１４】
記録内容構成の案内映像信号を再生手段の出力するビデオ信号に合成する合成手段を設けたこと、
を特徴とする請求項１３記載の再生装置。
【発明の詳細な説明】
【０００１】
【発明の属する技術分野】
本発明は再生装置に係り、とくに、主映像、サブピクチャ、音声を含む１または複数のタイトルのプレゼンテーション情報と、プレゼンテーション情報の再生制御に用いるナビゲーション情報とが記録された記録媒体を再生して、主映像のビデオ信号とオーディオ信号、または主映像にサブピクチャを合成したビデオ信号とオーディオ信号を出力する再生装置に関する。
【０００２】
【従来の技術】
ＤＶＤ（ディジタルバーサタイルディスク）ビデオディスクと呼ばれる規格の光ディスクには、映像と音声を含む１または複数のタイトルのプレゼンテーション情報と、プレゼンテーション情報の再生制御に用いるナビゲーション情報とが記録されている。ＤＶＤプレーヤはユーザの各種再生指示操作に従い、ＤＶＤビデオディスクに記録されたナビゲーション情報とプレゼンテーション情報を読み取り、前者のナビゲーション情報を一時記憶しながら該ナビゲーション情報を用いて所望タイトルのプレゼンテーション情報を再生する装置であり、主映像のビデオ信号とオーディオ信号、または主映像にサブピクチャを合成したビデオ信号とオーディオ信号を出力する。
【０００３】
ＤＶＤビデオディスクに記録されているプレゼンテーション情報中の主映像の記録データは圧縮方式がＭＰＥＧ２またはＭＰＥＧ１に準拠した１つのビデオストリームである。但し、或る同じシーンを複数のアングルから撮影したデータを記録しておくことで、所望の１つのアングルを選択して再生可能としたり（マルチアングル機能）、１つのタイトルを複数のチャプターに区切っておくことで、チャプター単位で再生可能としたり、ディスク単位やタイトル単位で或る年齢以上の者だけに試聴を許可する試聴年齢制限機能を持たせたりすることができる。音声の記録データとしては最大８つのオーディオストリームを含むことができ、音声方式（エンコード方式）はリニアＰＣＭ、ＡＣ３、ＭＰＥＧオーディオ、ＤＴＳ、ＳＤＤＳ等が有り、チャンネル数、サンプリング周波数、量子化ビット数の相違をも考慮すると幾通りもの方式が許容される。そして、主ボーカルを必要に応じてオン・オフできるカラオケ機能を持たせることもできる。更にサブピクチャの記録データとしては最大３２のストリームを含めることができ、種々の字幕言語の選択が可能となっている（例えば、特開２００１−３１２８８０号公報参考）。
【０００４】
【発明が解決しようとする課題】
このようにＤＶＤビデオディスクの規格は多彩な機能を利用して多彩な条件下で再生可能となっているため、ユーザは手持ちのＤＶＤビデオディスクが一体どのような機能を有しているのか知っていないと折角の機能を生かすことができない。ＤＶＤビデオディスクには通常、タイトルメニュー画面が記録されており、所望タイトルを簡単に選択できるようにしてあるが、更にルートメニュー画面も記録されているディスクでは所望タイトルについてアングル、チャプター、字幕、音声についても簡単に選択できる。けれども中にはルートメニュー画面やタイトルメニュー画面の存在しないディスクも有り、この場合、アングルキー、サーチキー、字幕キー、音声キー等の専用キーの操作で選択することになるが、事前にどの機能や再生条件が利用可能であるか判らないと無駄な操作をしてしまう。
【０００５】
ＤＶＤビデオディスクのジャケットには使用可能な機能、再生条件を表した取扱説明が記載されているが、記載手法は、各メーカまたは制作者の意図により様々であり、手持ちのＤＶＤビデオディスクでは一体どの機能が楽しめ、どの機能が楽しめないのかがユーザにはわかりづらかった。
このため、例えば、ＤＶＤビデオディスクには２チャンネルの音声信号しか記録されていないにも関わらず、ＡＣ３デコーダ内蔵のＡＶアンプとディジタル接続していた場合、当然２チャンネルの音響再生しかされないがユーザにはどうして５．１ｃｈで出力されないのか容易には理解できないことがあった。
本発明は上記した従来技術の問題に鑑み、記録媒体の記録内容の構成を簡単に知ることのできる再生装置を提供することを、その目的とする。
【０００６】
【課題を解決するための手段】
請求項１記載の再生装置では、主映像、サブピクチャ、音声を含む１または複数のタイトルのプレゼンテーション情報と、プレゼンテーション情報の再生制御に用いるナビゲーション情報とが記録された記録媒体に対する各種再生指示操作を行う第１の操作手段と、ナビゲーション情報を一時記憶するナビゲーション情報記憶手段と、ユーザによる各種再生指示操作に従い前記記録媒体からナビゲーション情報とプレゼンテーション情報を読み出し、前者のナビゲーション情報をナビゲーション情報記憶手段に記憶させながら、当該ナビゲーション情報を用いて後者のプレゼンテーション情報を再生して主映像のビデオ信号とオーディオ信号、または主映像にサブピクチャを合成したビデオ信号とオーディオ信号を出力したり、記録媒体に対する記録情報の検索をしたりする再生手段と、記録媒体の記録内容の構成の表示を指示する第２の操作手段と、第２の操作手段で記録媒体の記録内容の構成の表示指示操作がされると、記録媒体から読み出されてナビゲーション情報記憶手段に記憶されたナビゲーション情報に基づき再生手段を制御して、記録媒体の内、少なくともタイトルメニュー画面を含む各種メニュー画面用のプレゼンテーション情報を検索させ、検索結果から各種メニュー画面の存否を判別するとともに、記録媒体から読み取られてナビゲーション情報記憶手段に記憶されたナビゲーション情報に基づき、記録タイトル数、アングル切り換え可能なタイトルの有無、試聴年齢制限機能の使用可能なタイトルの有無、カラオケ機能の使用可能なタイトルの有無の内の少なくとも１つを判別する記録内容構成判別手段と、記録内容構成判別手段の判別結果である記録内容構成の案内映像信号を作成して出力する記録内容構成案内映像作成手段と、を備えたことを特徴としている。
【０００７】
請求項３記載の再生装置では、主映像、サブピクチャ、音声を含む１または複数のタイトルのプレゼンテーション情報と、プレゼンテーション情報の再生制御に用いるナビゲーション情報とが記録された記録媒体に対する各種再生指示操作を行う第１の操作手段と、ナビゲーション情報を一時記憶するナビゲーション情報記憶手段と、ユーザによる各種再生指示操作に従い、前記記録媒体からナビゲーション情報とプレゼンテーション情報を読み出し、前者のナビゲーション情報をナビゲーション情報記憶手段に記憶させながら、当該ナビゲーション情報を用いて後者のプレゼンテーション情報を再生して主映像のビデオ信号とオーディオ信号、または主映像にサブピクチャを合成したビデオ信号とオーディオ信号を出力したりする再生手段と、或るタイトルの記録内容の構成の表示を指示する第２の操作手段と、第２の操作手段で或る所望タイトルの記録内容構成の表示指示操作がされると、記録媒体から読み取られてナビゲーション情報記憶手段に記憶されたナビゲーション情報中の当該所望タイトルに関する属性情報に基づき当該タイトルの記録内容構成を判別する記録内容構成判別手段と、記録内容構成判別手段の判別結果である記録内容構成の案内映像信号を作成して出力する記録内容構成案内映像作成手段と、を備えたことを特徴としている。
【０００８】
請求項５記載の再生装置では、主映像、サブピクチャ、音声を含む１または複数のタイトルのプレゼンテーション情報と、プレゼンテーション情報の再生制御に用いるナビゲーション情報とが記録された記録媒体に対する各種再生指示操作を行う第１の操作手段と、ナビゲーション情報を一時記憶するナビゲーション情報記憶手段と、ユーザによる各種再生指示操作に従い、前記記録媒体からナビゲーション情報とプレゼンテーション情報を読み出し、前者のナビゲーション情報をナビゲーション情報記憶手段に記憶させながら、当該ナビゲーション情報を用いて後者のプレゼンテーション情報を再生して主映像のビデオ信号とオーディオ信号、または主映像にサブピクチャを合成したビデオ信号とオーディオ信号を出力したり、記録媒体中の情報検索をしたりする再生手段と、或るタイトルの記録内容の構成の表示を指示する第２の操作手段と、第２の操作手段で或る所望タイトルの記録内容構成の表示指示操作がされると、再生手段を制御して、記録媒体のナビゲーション情報中の当該タイトルに関する属性情報を検索させ、該検索した属性情報に基づき当該タイトルについての記録内容構成を判別する記録内容構成判別手段と、記録内容構成判別手段の判別結果である記録内容構成の案内映像表示信号を作成して出力する記録内容構成案内映像作成手段と、を備えたことを特徴としている。
【０００９】
請求項７記載の再生装置では、或るタイトルの記録内容の構成の表示を指示する第２の操作手段と、第２の操作手段で或る所望タイトルの記録内容構成の表示指示操作がされると、記録媒体から読み取られてナビゲーション情報記憶手段に記憶されたナビゲーション情報に基づき再生手段を制御して、当該タイトルに関するナビゲーション情報中の属性情報に対応するプレゼンテーション情報の実体データを検索させて、当該タイトルに関するナビゲーション情報中の属性情報の内、対応するプレゼンテーション情報の実体データの存在する属性情報に基づき当該タイトルについての記録内容構成を判別する記録内容構成判別手段と、判別手段の判別したタイトル記録内容構成の案内映像信号を作成して出力する記録内容構成案内映像作成手段と、を備えたことを特徴としている。
【００１０】
請求項９記載の再生装置では、タイトルの記録内容の構成の表示を指示する第２の操作手段と、或るタイトルの再生中に第２の操作手段で記録内容構成の表示指示操作がされると、再生手段を制御して、記録媒体の当該或るタイトルに関するナビゲーション情報中の属性情報を検索させたのち更に、当該或るタイトルに関するプレゼンテーション情報中の当該属性情報に対応する実体データを検索させて、当該或るタイトルに関するナビゲーション情報中の属性情報の内、対応するプレゼンテーション情報の存在する属性情報に基づき当該或るタイトルの記録内容構成を判別する記録内容構成判別手段と、判別手段の判別結果である記録内容構成の案内映像信号を作成して出力する記録内容構成案内映像作成手段と、を備えたことを特徴としてる。
【００１１】
請求項１１記載の再生装置では、或るタイトルの記録内容の構成の表示を指示する第２の操作手段と、第２の操作手段で或る所望タイトルの記録内容構成の表示指示操作がされると、記録媒体から読み取られてナビゲーション情報記憶手段に記憶されたナビゲーション情報のビデオマネージャ情報中での当該或る所望タイトルの属性情報と、記録媒体から読み取られてナビゲーション情報記憶手段に記憶された当該或る所望タイトルを含むビデオタイトルセット内のナビゲーション情報中での当該或る所望タイトルの属性情報を照合し、一致する属性情報については該一致する属性情報に基づき記録内容構成を判別し、一致しない属性情報については、再生手段を制御して当該或る所望タイトルに関するプレゼンテーション情報中の当該属性情報に対応する実体データを検索させて、対応するプレゼンテーション情報の存在する属性情報に基づき当該或る所望タイトルの記録内容構成を判別する記録内容構成判別手段と、記録内容構成判別手段で判別された当該或る所望タイトルの記録内容構成を表す記録内容構成の案内映像信号を作成して出力する記録内容構成案内映像作成手段と、を備えたことを特徴としている。
【００１２】
請求項１３記載の再生装置では、タイトルの記録内容の構成の表示を指示する第２の操作手段と、或るタイトルの再生中に第２の操作手段で記録内容構成の表示指示操作がされると、記録媒体から読み取られてナビゲーション情報記憶手段に記憶されたナビゲーション情報のビデオマネージャ情報中での当該或るタイトルの属性情報と、再生手段を制御して記録媒体の内、当該或るタイトルを含むビデオタイトルセット内のナビゲーション情報から検索させた当該或るタイトルの属性情報を照合し、一致する属性情報については該一致する属性情報に基づき記録内容構成を判別し、一致しない属性情報については、更に再生手段を制御して当該属性情報に対応する実体データを検索させて、対応するプレゼンテーション情報の存在する属性情報に基づき当該或るタイトルの記録内容構成を判別する記録内容構成判別手段と、記録内容構成判別手段で判別した当該或るタイトルの記録内容構成を表す記録内容構成の案内映像信号を作成して出力する記録内容構成案内映像作成手段と、を備えたことを特徴としている。
【００１３】
なお、請求項１、３、５、７、９、１１、１３の各々において、記録内容構成の案内映像信号を再生手段の出力するビデオ信号に合成する合成手段を設けても良い。
【００１４】
【発明の実施の形態】
次に、本発明の一つの実施の形態を図１を参照して説明する。図１は本発明に係るＤＶＤプレーヤの構成図である。
１はＤＶＤ（ディジタルバーサタイルディスク）の１種であるＤＶＤビデオディスクである。ＤＶＤビデオディスク１には主映像、サブピクチャ、音声を含むＭ個のタイトルのプレゼンテーション情報と、プレゼンテーション情報の再生制御に用いるナビゲーション情報が記録されている。ＤＶＤビデオディスク１の記録データは図２の如く、１または関連する複数のタイトル毎に設けられてプレゼンテーション情報とナビゲーション情報を含むＮ個のビデオタイトルセット（ＶＴＳ）ｉ（ｉ＝１〜Ｎ。但し、Ｎは最大で９９）と、Ｎ個のビデオタイトルセットの内容テーブルであるビデオマネージャ（ＶＭＧ）とに大別される。ビデオマネージャはビデオマネージャ情報（ＶＭＧＩ）と呼ばれる制御データ（ナビゲーション情報）とタイトルメニュー（ビデオマネージャメニュー）画面の実体データ（プレゼンテーション情報）であるビデオマネージャメニュー・ビデオオブジェクトセット（ＶＭＧＭ＿ＶＯＢＳ）から成る（ビデオマネージャメニュー・ビデオオブジェクトセットは必須ではない）。ビデオマネージャ情報には、タイトル検索用テーブル、タイトルメニューの再生に用いる制御データであるビデオマネージャメニュー・プログラムチェーン情報（ＰＧＣＩ）ユニットテーブル、試聴年齢制限管理情報テーブル（ＰＴＬ＿ＭＡＩＴ）、ビデオタイトルセット毎のビデオタイトルセット属性情報テーブル（ＶＴＳ＿ＡＴＲＴ）、ビデオマネージャ情報管理テーブル（ＶＭＧＩ＿ＭＡＴ）が含まれる。タイトル検索用テーブルには、タイトル毎のビデオタイトルセット番号及びビデオタイトルセットタイトル番号、当該タイトルを含むビデオタイトルセットの先頭位置、アングル数、チャプター数、試聴年齢制限情報が含まれる。またビデオマネージャ情報管理テーブルには、バージョン情報、ビデオタイトルセット数、ファーストプレイ・プログラムチェーン情報（ＦＰ＿ＰＧＣＩ）等が含まれる。
【００１５】
各ビデオタイトルセットは、ビデオタイトルセット情報（ＶＴＳＩ）と呼ばれる制御データ（ナビゲーション情報）と、ルートメニュー、チャプターメニュー、サブタイトルメニュー、アングルメニュー、オーディオメニューというビデオタイトルセットメニュー画面の実体データ（プレゼンテーション情報）であるビデオタイトルセットメニュー・ビデオオブジェクトセット（ＶＴＳＭ＿ＶＯＢＳ）と、タイトルの実体データ（プレゼンテーション情報）であるビデオタイトルセットタイトル・ビデオオブジェクトセット（ＶＴＳＴＴ＿ＶＯＢＳ）から成る（ビデオタイトルセットメニュー・ビデオオブジェクトセットは必須ではない）。ビデオタイトルセット情報は、チャプター検索用テーブル、タイトルの再生に用いる制御データであるビデオタイトルセット・プログラムチェーン情報（ＰＧＣＩ）テーブル、ビデオタイトルセットメニューの再生に用いる制御データであるビデオタイトルセットメニュー・プログラムチェーン情報（ＰＧＣＩ）ユニットテーブル、ビデオタイトルセット情報管理テーブル（ＶＴＳＩ＿ＭＡＴ）が含まれる。チャプター検索用テーブルにはタイトル毎の各チャプターの開始位置を示すプログラムチェーン番号（ＰＧＣＮ）とプログラム番号（ＰＧＮ）の組データがチャプター番号に対応付けて記録される。ビデオタイトルセット・プログラムチェーン情報（ＰＧＣＩ）テーブルは、各タイトル毎にタイトルを構成するプログラムチェーン群の構成（プログラムチェーン番号の組み合わせ）、各プログラムチェーンの属性とプログラム構成、セル構成、各セル位置等を含む。ビデオタイトルセット情報管理テーブル（ＶＴＳＩ＿ＭＡＴ）は、ビデオタイトルセットとビデオタイトルセット情報のサイズ、ビデオタイトルセット情報内の各情報の開始位置、ビデオタイトルセット内の各ビデオオブジェクト（ＶＯＢＳ）の属性（オーディオストリームの数と属性、サブピクチャストリームの数と属性など）を含む。
【００１６】
図１の２は、ＤＶＤビデオディスク１の記録内容を再生し、ＶＭＧＩとＶＴＳＩのナビゲーション情報を抽出して出力したり、メニューまたはタイトルのＡＶデータストリーム（ＭＰＥＧビデオストリーム、オーディオストリーム、サブピクチャストリーム）を抽出して出力したり、再生位置情報を出力したり、指示された実体データを検索したりするデータストリーム再生部、３はトレイ（図示しない）に乗ったＤＶＤビデオディスク１をデータストリーム再生部２にローディングしたり、アンローディングしたりするローディング部、４はナビゲーション情報を記憶するナビゲーション情報記憶部、５はＡＶデータストリームをデコードして主映像のビデオ信号または主映像にユーザ所望の言語のサブピクチャ（字幕）を重ねたビデオ信号と、ユーザ所望の言語及び音声方式のオーディオ信号とを互いに同期して出力するＡＶデコーダ部、６はトレイクローズ操作、トレイオープン操作、各種初期設定再生条件（メニュー言語、字幕言語、字幕表示機能オン・オフ、音声言語、音声方式、カラオケ機能オン・オフ、視聴年齢制限機能オン・オフ、視聴年齢制限レベル）の変更操作、所望タイトル番号入力操作、ＰＬＡＹ操作、各種メニュー操作（タイトル選択操作、ルートメニュー呼び出し操作、音声方式選択操作、チャプター選択操作、字幕言語選択操作、アングル選択操作）、ディスク記録内容構成情報呼び出し／呼び出し終了操作、タイトル記録内容構成情報呼び出し／呼び出し終了操作などを行う操作部、７はプレーヤの動作状態を表示する表示部、８はＤＶＤビデオディスク１の記録内容構成情報を元に、記録内容構成案内ビデオ信号を作成して出力する記録内容構成案内映像作成部、９はＡＶデコーダ部５から出力されたビデオ信号に記録内容構成案内ビデオ信号を重ねる合成部、１０はコントロール部であり、操作部６での操作に従い各部を制御し、ＤＶＤビデオディスク１に記録された各種メニューを再生させたり、ユーザ所望タイトルまたは所望チャプターをユーザ所望の再生条件下で再生させたり、ＤＶＤビデオディスク１の記録情報からディスク構成情報（メニュー画面の有無、記録タイトル数、アングル切り換えの可否、試聴制限機能の有無、カラオケ機能の有無）を判別して表示させたり、タイトル構成情報（メニュー画面の有無、チャプター数、アングル数、音声ストリーム数、音声方式の組み合わせ、字幕数）を判別して表示させる。
【００１７】
図３〜図１９はコントロール部１０による制御処理を示す説明図、図２０は画面表示されたディスク記録内容構成情報の一例を示す説明図、図２１は画面表示されたタイトル記録内容構成情報の一例を示す説明図であり、以下、これらの図を参照して上記した実施の形態の動作を説明する。
（１）ファーストプレイ
コントロール部１０は電源オンでデータストリーム再生部２にＤＶＤビデオディスク１がセット済かチェックし、ＮＯであれば、操作部６で各種初期設定再生条件（メニュー言語、字幕言語、字幕表示機能オン・オフ、音声言語、音声方式、カラオケ機能オン・オフ、視聴年齢制限機能オン・オフ、視聴年齢制限レベル）の変更操作がされたかチェックし（図３のステップＳ１０、Ｓ１１）、ＹＥＳであれば操作に応じて内部メモリに記憶された各種初期設定再生条件を変更する（ステップＳ１２）。ユーザにより操作部６でトレイオープン操作がされると、コントロール部１０は表示部７に「ＯＰＥＮ」の表示をさせるとともにローディング部３を制御し、アンローディング動作をさせ、図示しないトレイをオープンさせ（ステップＳ１３、Ｓ１４）、所望のＤＶＤビデオディスク１をトレイに乗せたあと、トレイクローズ操作がされると、コントロール部１０は表示部７に「ＣＬＯＳＥ」の表示をさせるとともにローディング部３を制御し、ローディング動作をさせ、トレイをクローズさせてＤＶＤビデオディスク１をデータストリーム再生部２にセットさせる（ステップＳ１５、Ｓ１６）。
【００１８】
データストリーム再生部２はＤＶＤビデオディスク１がセットされると、ディスク有りを示すディスク検出信号を出力し、該信号を入力したコントロール部１０はステップＳ１７でＹＥＳと判断し、現在の初期設定再生条件を一時再生条件として登録する（ステップＳ１８）。そして、データストリーム再生部２を制御し、ＤＶＤビデオディスク１のビデオマネージャ情報（ＶＭＧＩ）を読み取らせ、ナビゲーション情報記憶部４に記憶させる（ステップＳ１９）。ＶＭＧＩのファーストプレイ・プログラムチェーン情報（ＦＰ＿ＰＧＣＩ）を参照してファーストプレイＰＧＣ有りか判別し（ステップＳ２０）、ＮＯであれば図４のフローへ進み、ＹＥＳであれば、ファーストプレイＰＧＣの視聴年齢制限を一時再生条件と比較してＯＫであれば（ステップＳ２１でＹＥＳ）、ファーストプレイＰＧＣを実行し（ファーストプレイＰＧＣが画像の場合は、データストリーム再生部２とＡＶデコーダ部５を制御し、実体データを再生させてＡＶデータストリームを出力させ、ＡＶデコーダ部５によりデコードさせてビデオ信号とオーディオ信号を出力させる）、しかるのち移行先がタイトルメニューであれば図７のステップＳ８２、特定タイトルであれば図８のフロー、停止であれば図４のフローへ進む（ステップＳ２２、Ｓ２３）。
【００１９】
（２）タイトル再生−ダイレクト選択
ステップＳ２０またはＳ２１でＮＯであるか、またはステップＳ２３で停止であったため図４のフローへ進んだ場合、操作部６で各種初期設定再生条件の変更操作がされれば内部メモリに初期設定再生条件と一時再生条件の変更登録をする（ステップＳ３０、Ｓ３１）。操作部６で所望タイトルの番号をダイレクト入力すると、コントロール部１０は、入力番号をｉとして登録し、チャプター番号ｊ＝１とし、ナビゲーション情報記憶部４に記憶されたＶＭＧＩのタイトル検索テーブル中に所望タイトルが存在するかチェックする（ステップＳ３２〜Ｓ３５）。存在すれば、タイトル検索テーブルを参照して、データストリーム再生部２を制御し、所望タイトルｉを含むビデオタイトルセットのビデオタイトルセット情報（ＶＴＳＩ）を読み取らせてナビゲーション情報記憶部４に記憶させ、表示部７にタイトルｉを表示させて再生の準備をする（ステップＳ３６、Ｓ３７）。
【００２０】
ＰＬＡＹキーが押されたら、コントロール部１０はまずＶＴＳＩのビデオタイトルセット・プログラムチェーン情報（ＰＧＣＩ）テーブルを参照して、データストリーム再生部２を制御し、タイトルｉのチャプター番号ｊのチャプターを構成する先頭のセルをサーチさせ、該セルデータを読み取らせて入力し、解読して所望タイトルの実体データが存在するかチェックする（ステップＳ３８、Ｓ３９）。ＹＥＳであれば、タイトルｉのＰＧＣＩの示す視聴年齢制限を一時再生条件と比較してＯＫであれば（ステップＳ４０でＹＥＳ）、図８のステップＳ１０７へ進み、データストリーム再生部２とＡＶデコーダ部５を制御し、一時再生条件に従いタイトルｉのチャプター番号ｊから再生を開始させる。再生中、データストリーム再生部２はＤＶＤビデオディスク１からＡＶデータストリームを抽出し、ＡＶデコーダ部５がデコードして主映像のビデオ信号（字幕表示機能オフの場合）または主映像に所望言語の字幕映像を重ねたビデオ信号（字幕表示機能オンの場合）と、所望言語、所望音声方式のオーディオ信号を同期させて出力する。データストリーム再生部２から入力する再生位置情報に基づき、コントロール部１０はタイトルｉの最後まで再生し終えたかチェックし、ＹＥＳであれば図４のフローに戻る（図１１のステップＳ１６４、Ｓ１６５）。
若し、図４のステップＳ３９またはＳ４０でＮＯであった場合、表示部７のタイトル番号を消してステップＳ３０に戻る（ステップＳ４１）。また、ＰＬＡＹキーが押されることなく操作部６で停止操作がされたとき、表示部７のタイトル番号表示を消して図４のフローに戻る（図５のステップＳ５０、Ｓ５１）。
【００２１】
（３）タイトル再生−タイトルメニューからの選択
ユーザが操作部６によりタイトルメニュー呼び出し操作をするか（図７のステップＳ８０でＹＥＳ）、またはファーストプレイＰＧＣの実行後、タイトルメニューに進んだ場合（図３のステップＳ２３）、コントロール部１０はＶＭＧＩのビデオマネージャメニュー・プログラムチェーン情報（ＰＧＣＩ）ユニットテーブルを参照して、ビデオマネージャメニュー・ビデオオブジェクトセット（ＶＭＧＭ＿ＶＯＢＳ）の内、所望言語のタイトルメニューを構成する先頭セルのセル位置をサーチさせ、該セルデータを読み取らせて入力し、解読してタイトルメニューの実体データが存在するかチェックする（ステップＳ７２）。ＹＥＳであれば、タイトルメニューのＰＧＣＩの示す視聴年齢制限を一時再生条件と比較してＯＫであれば（ステップＳ７３でＹＥＳ）、データストリーム再生部２とＡＶデコーダ部５を制御し、所望言語のタイトルメニューを再生させる（ステップＳ７４）。再生中、データストリーム再生部２はＤＶＤビデオディスク１から所望言語のタイトルメニューのＡＶデータストリームを抽出し、ＡＶデコーダ部５がデコードしてタイトルメニューのビデオ信号とオーディオ信号を出力する。
若し、図７のステップＳ８２またはＳ８３でＮＯであった場合、図４のステップＳ３０に戻り、トレイオープン操作がされれば（ステップＳ８１でＹＥＳ）、ＤＶＤビデオディスク１を排出する（ステップＳ１４）。
【００２２】
タイトルメニューを見たユーザが操作部６で所望タイトルの選択操作をすると、コントロール部１０は選択されたタイトルの番号をｉとし、チャプター番号ｊを１としたのち（ステップＳ８５、Ｓ８７、Ｓ８８）、ＶＭＧＩのタイトル検索テーブル中に所望タイトルが存在するかチェックする（ステップＳ８９）。存在すれば、データストリーム再生部２とＡＶデコーダ部５を制御し、タイトルメニューの再生を停止させ（ステップＳ９０）、データストリーム再生部２を制御し、所望タイトルを含むビデオタイトルセットのビデオタイトルセット情報（ＶＴＳＩ）を読み取らせてナビゲーション情報記憶部４に記憶させ、表示部７にタイトル番号を表示させる（ステップＳ９１、Ｓ９２）。
【００２３】
続いて、コントロール部１０はＶＴＳＩのビデオタイトルセット・プログラムチェーン情報（ＰＧＣＩ）テーブルを参照して、データストリーム再生部２を制御し、タイトルｉのチャプター番号ｊのチャプターを構成する先頭のセルのセル位置をサーチさせ、該セルデータを読み取らせて入力し、解読して所望タイトルの実体データが存在するかチェックする（図４のステップＳ３９）。ＹＥＳであれば、タイトルｉのＰＧＣＩの示す視聴年齢制限を一時再生条件と比較してＯＫであれば（ステップＳ４０でＹＥＳ）、図８のステップＳ９７へ進み、データストリーム再生部２とＡＶデコーダ部５を制御し、一時再生条件に従いタイトルｉのチャプター番号ｊから再生を開始させる。
若し、ステップＳ８５またはＳ８９でＮＯの場合、操作部６で停止操作がされると、コントロール部１０はデータストリーム再生部２とＡＶデコーダ部５を制御し、タイトルメニューの再生を停止させて図４のフローに戻る（ステップＳ９３）。
【００２４】
（４）タイトル再生−ファーストプレイからの自動
ファーストプレイＰＧＣを実行後、ファーストプレイ・プログラムチェーン情報で指定された移行先が特定のタイトルであった場合（図３のステップＳ２３）、図８のフローに進み、特定のタイトルの番号をｉとし、チャプター番号ｊを１としたのち（ステップＳ１００、Ｓ１０１）、ＶＭＧＩのタイトル検索テーブル中に特定タイトルｉが存在するかチェックする（ステップＳ１０２）。存在すれば、データストリーム再生部２を制御し、特定タイトルｉを含むビデオタイトルセットのビデオタイトルセット情報（ＶＴＳＩ）を読み取らせてナビゲーション情報記憶部４に記憶させ、表示部７にタイトル番号を表示させる（ステップＳ１０３、Ｓ１０４）。
【００２５】
続いて、ＶＴＳＩのビデオタイトルセット・プログラムチェーン情報（ＰＧＣＩ）テーブルを参照して、データストリーム再生部２を制御し、特定タイトルｉのチャプター番号ｊのチャプターを構成する先頭のセルのセル位置をサーチさせ、該セルデータを読み取らせて入力し、所望タイトルの実体データが存在するかチェックする（ステップＳ１０５）。ＹＥＳであれば、タイトルｉのＰＧＣＩの示す視聴年齢制限を一時再生条件と比較してＯＫであれば（ステップＳ１０６でＹＥＳ）、一時再生条件に従い特定タイトルｉのチャプター番号ｊから再生を開始させる（ステップＳ１０７）。
若し、ステップＳ１０５またはＳ１０６でＮＯであった場合、表示部７のタイトル番号を消してステップＳ３０に戻る（ステップＳ１０８）。
【００２６】
（５）タイトル再生中のタイトルメニューの呼び出し
タイトルｉの再生途中で、操作部６によりタイトルメニューの呼び出し操作がされると、コントロール部１０は、ビデオマネージャメニュー・プログラムチェーン情報（ＰＧＣＩ）ユニットテーブルを参照して、データストリーム再生部２を制御し、所望言語のタイトルメニューの実体データ（ビデオマネージャメニュー・ビデオオブジェクトセット）の先頭セルのセル位置をサーチさせ、該セルデータを読み取らせて入力し、解読してタイトルメニューの実体データが存在するかチェックする（ステップＳ１０８、Ｓ１０９）。ＹＥＳであれば、タイトルメニューのＰＧＣＩの示す視聴年齢制限を一時再生条件と比較してＯＫであれば（ステップＳ１１１でＹＥＳ）、タイトルｉの再生を停止させ（ステップＳ１１２、Ｓ１１３）、図７のステップＳ８４に進んで所望言語のタイトルメニューを再生させる。
【００２７】
（６）ルートメニューの呼び出し−ダイレクトタイトル選択後、ＰＬＡＹキーを押す前の再生準備中の場合
タイトル番号をダイレクト入力したあと、ＰＬＡＹキーを押す前にユーザが操作部６でルートメニューの呼び出し操作をすると、コントロール部１０は、図５のステップＳ５２でＹＥＳと判断し、所望タイトルｉを含むＶＴＳのＶＴＳＩのビデオタイトルセットメニュー・プログラムチェーン情報（ＰＧＣＩ）ユニットテーブルを参照して、所望タイトルｉに関する所望言語のルートメニューのＰＧＣＩが存在するかチェックし、存在すれば、該ＰＧＣＩを参照して更にデータストリーム再生部２を制御し、所望言語のルートメニューの実体データ（ビデオタイトルセットメニュー・ビデオオブジェクトセット）を構成する先頭セルのセル位置をサーチさせ、該セルデータを読み取らせて入力し、解読して所望言語のルートメニューの実体データが存在するかチェックする（ステップＳ５３）。ＹＥＳであれば、ルートメニューのＰＧＣＩの示す視聴年齢制限を一時再生条件と比較してＯＫであれば（ステップＳ５４でＹＥＳ）、データストリーム再生部２とＡＶデコーダ部５を制御して、タイトルｉに関する所望言語のルートメニューを再生させる（ステップＳ５５）。
【００２８】
ルートメニュー再生中に、ルートメニュー中の下位メニュー（チャプターメニュー、アングルメニュー、サブタイトル（字幕）メニュー、オーディオメニュー）の１つの選択操作がされると、コントロール部１０は、ビデオタイトルセットメニュー・プログラムチェーン情報（ＰＧＣＩ）ユニットテーブルを参照して、所望下位メニューのＰＧＣＩが存在するかチェックし、存在すれば、該ＰＧＣＩを参照して更にデータストリーム再生部２を制御し、所望下位メニューの実体データを構成する先頭セルのセル位置をサーチさせ、該セルデータを読み取らせて入力し、解読して所望下位メニューの実体データが存在するかチェックする（ステップＳ５８、Ｓ５９）。ＹＥＳであれば、所望下位メニューのＰＧＣＩの示す視聴年齢制限を一時再生条件と比較してＯＫであれば（ステップＳ６０でＹＥＳ）、データストリーム再生部２とＡＶデコーダ部５を制御して、所望下位メニューを再生させる（図６のステップＳ６１）。
【００２９】
ここでは、所望下位メニューが音声方式（リニアＰＣＭ、ＡＣ−３、ＤＴＳなど）であったとして、操作部６でユーザが更に所望音声方式を選択すると、コントロール部１０はナビゲーション情報記憶部４に記憶されたＶＴＳＩのビデオタイトルセット情報管理テーブル（ＶＴＳＩ＿ＭＡＴ）に所望タイトルｉに関して今回選択された所望音声方式が存在するか判断し、存在すれば更に、ビデオタイトルセット・プログラムチェーン情報を参照して、データストリーム再生部２を制御し、所望タイトルｉの実体データを構成する先頭セルのセル位置をサーチさせ、該セルデータを読み取らせて入力し、解読して所望音声方式の実体データが存在するかチェックする（ステップＳ６２、Ｓ６４、Ｓ６５）。存在すれば、今回選択された音声方式で一時再生条件中の音声方式を変更する（ステップＳ６６）。
【００３０】
若し、先に選択した所望下位メニューがサブピクチャー（字幕言語）であったとして、操作部６でユーザが所望字幕言語を選択すると、コントロール部１０はナビゲーション情報記憶部４に記憶されたＶＴＳＩのビデオタイトルセット情報管理テーブルに所望タイトルｉに関して今回選択された所望字幕言語が存在するか判断し、存在すれば更に、ビデオタイトルセット・プログラムチェーン情報を参照して、データストリーム再生部２を制御し、所望タイトルｉの実体データを構成する先頭セルのセル位置をサーチさせ、該セルデータを読み取らせて入力し、解読して所望字幕言語の実体データが存在するかチェックする（ステップＳ６２、Ｓ６７、Ｓ６８）。存在すれば、今回選択された字幕言語で一時再生条件中の字幕言語を変更する（ステップＳ６９）。
【００３１】
また、先に選択した所望下位メニューがアングルであったとして、操作部６でユーザが所望アングルを選択すると、コントロール部１０はＶＴＳＩのビデオタイトルセット・プログラムチェーン情報を参照して、所望タイトルｉに関して今回選択されたアングルが存在するか判断し、存在すれば更に、データストリーム再生部２を制御し、所望タイトルｉの所望アングルの実体データを構成するセルのセル位置をサーチさせ、該セルデータを読み取らせて入力し、解読して所望アングルの実体データが存在するかチェックする（ステップＳ６２、Ｓ７０、Ｓ７１）。存在すれば、今回選択されたアングルで一時再生条件中のアングルを変更する（ステップＳ７２）。
【００３２】
また、先に選択した所望下位メニューがチャプターであったとして、操作部６でユーザが所望チャプターを選択すると、コントロール部１０はＶＴＳＩのチャプター検索テーブルを参照して、所望タイトルｉに関して今回選択されたチャプターが存在するか判断し、存在すれば更に、データストリーム再生部２を制御し、所望タイトルｉの所望チャプターの実体データを構成するセルのセル位置をサーチさせ、該セルデータを読み取らせて入力し、解読して所望チャプターの実体データが存在するかチェックする（ステップＳ６２、Ｓ７３、Ｓ７４）。存在すれば、今回選択されたチャプター番号をｊとして登録する（ステップＳ７５）。
【００３３】
下位メニューからの選択が終わるか、選択せずに操作部６で下位メニュー終了操作をすると、コントロール部１０はデータストリーム再生部２とＡＶデコーダ部５を制御し、下位メニュー画面の再生を停止させ、元の所望言語でのルートメニューの再生に戻す（ステップＳ７６またはＳ６３、図５のステップＳ５５）。よって、他の下位メニューについても同様に選択することができる。その後、操作部６でルートメニュー終了操作をすると、コントロール部１０はデータストリーム再生部２とＡＶデコーダ部５を制御し、ルートメニュー画面の再生を停止させる（図５のステップＳ５９、Ｓ６０）。
【００３４】
（７）ルートメニューの呼び出し−タイトル再生中
タイトルｉの再生中にルートメニューの呼び出し操作をすると、コントロール部１０は、図８のステップＳ１１４でＹＥＳと判断し、所望タイトルｉを含むＶＴＳのＶＴＳＩのビデオタイトルセットメニュー・プログラムチェーン情報（ＰＧＣＩ）ユニットテーブルを参照して、所望タイトルｉに関する所望言語のルートメニューのＰＧＣＩが存在するかチェックし、存在すれば、所望言語のルートメニューの実体データが存在するかチェックする（ステップＳ１１５）。ＹＥＳであれば、ルートメニューのＰＧＣＩの示す視聴年齢制限を一時再生条件と比較してＯＫであれば（ステップＳ１１６でＹＥＳ）、タイトルｉの現在の再生位置ＰＤを記憶し、データストリーム再生部２とＡＶデコーダ部５を制御してタイトルｉの再生を一時停止させ（ステップＳ１１７）、代わりにタイトルｉに関する所望言語のルートメニューを再生させる（図９の１２０）。
【００３５】
ルートメニュー再生中に、ルートメニュー中の下位メニュー（チャプターメニュー、アングルメニュー、サブタイトル（字幕言語）メニュー、オーディオメニュー）の１つの選択操作がされると、コントロール部１０は、ビデオタイトルセットメニュー・プログラムチェーン情報（ＰＧＣＩ）ユニットテーブルを参照して、所望下位メニューのＰＧＣＩが存在するかチェックし、存在すれば、所望下位メニューの実体データが存在するかチェックする（ステップＳ１２１、Ｓ１２２）。ＹＥＳであれば、所望下位メニューのＰＧＣＩの示す視聴年齢制限を一時再生条件と比較してＯＫであれば（ステップＳ１２３でＹＥＳ）、データストリーム再生部２とＡＶデコーダ部５を制御して、所望下位メニューを再生させる（図１０のステップＳ１３０）。
【００３６】
所望下位メニューが音声方式であったとして、操作部６でユーザが更に所望音声方式を選択すると、コントロール部１０はＶＴＳＩのビデオタイトルセット情報管理テーブルの中に所望タイトルｉに関して今回選択された所望音声方式が存在するか判断し、存在すれば更に、所望音声方式の実体データが存在するかチェックする（ステップＳ１３１〜Ｓ１３３）。存在すれば、今回選択された音声方式で一時再生条件中の音声方式を変更する（ステップＳ１３４）。若し、先に選択した所望下位メニューがサブタイトル（サブピクチャー；字幕言語）であったとして、操作部６でユーザが所望字幕言語を選択すると、コントロール部１０はビデオタイトルセット情報管理テーブルに所望タイトルｉに関して今回選択された所望字幕言語が存在するか判断し、存在すれば更に、所望字幕言語の実体データが存在するかチェックする（ステップＳ１３１、Ｓ１３５、Ｓ１３６）。存在すれば、今回選択された字幕言語で一時再生条件中の字幕言語を変更する（ステップＳ１３７）。
【００３７】
また、先に選択した所望下位メニューがアングルであったとして、操作部６でユーザが所望アングルを選択すると、コントロール部１０はＶＴＳＩのビデオタイトルセット・プログラムチェーン情報を参照して、所望タイトルｉに関して今回選択されたアングルが存在するか判断し、存在すれば更に、所望アングルの実体データが存在するかチェックする（ステップＳ１３１、１３８、Ｓ１３９）。存在すれば、今回選択されたアングルで一時再生条件中のアングルを変更する（ステップＳ１４０）。また、先に選択した所望下位メニューがチャプターであったとして、操作部６でユーザが所望チャプターを選択すると、コントロール部１０はＶＴＳＩのチャプター検索テーブルを参照して、所望タイトルｉに関して今回選択されたチャプターが存在するか判断し、存在すれば更に、所望チャプターの実体データが存在するかチェックする（ステップＳ１３１、Ｓ１４１、Ｓ１４２）。存在すれば、今回選択されたチャプター番号をｊとして登録する（ステップＳ１４３）。
【００３８】
下位メニューからの選択が終わるか、選択せずに操作部６で下位メニュー終了操作をすると、コントロール部１０はデータストリーム再生部２とＡＶデコーダ部５を制御し、下位メニュー画面の再生を停止させ、元の所望言語でのルートメニューの再生に戻す（ステップＳ１４４、Ｓ１４５、図９のステップＳ１２０）。よって、他の下位メニューについても同様に選択することができ、また、操作部６でルートメニュー終了操作をすると、コントロール部１０はデータストリーム再生部２とＡＶデコーダ部５を制御し、ルートメニュー画面の再生を停止させたのち（ステップＳ１２４、Ｓ１２５）、今回のメニュー選択でチャプターが変更されたならば一時再生条件に従いタイトルｉのチャプターｊから再生を再開させ（ステップＳ１２７）、チャプターが変更されていなければ、一時再生条件に従い前回最後に再生した位置ＰＤから再生を再開させる（ステップＳ１２８）。
【００３９】
（８）タイトルの再生中の音声方式の変更
タイトルｉの再生中に操作部６で音声方式の変更操作がされると、コントロール部１０はＶＴＳＩのビデオタイトルセット情報管理テーブルの中に所望タイトルｉに関して、変更後の所望音声方式が存在するか判断し、存在すれば更に、データストリーム再生部２を制御して現在再生中のタイトルｉの実体データを成すセルデータをコントロール部１０へ出力させ、該セルデータを解読して所望音声方式の実体データが存在するかチェックする（図１１のステップＳ１５０、Ｓ１５１）。存在すれば、今回選択された音声方式で一時再生条件中の音声方式を変更する（ステップＳ１５２）。そして、データストリーム再生部２とＡＶデコーダ部５を制御し、変更後の一時再生条件に従いタイトルｉの再生を続行させる（ステップＳ１５３）。
【００４０】
（９）タイトルの再生中の字幕言語の変更
タイトルｉの再生中に操作部６で字幕言語の変更操作がされると、コントロール部１０はＶＴＳＩのビデオタイトルセット情報管理テーブルの中に所望タイトルｉに関して、変更後の所望字幕言語が存在するか判断し、存在すれば更に、データストリーム再生部２を制御して現在再生中のタイトルｉの実体データを成すセルデータをコントロール部１０へ出力させ、該セルデータを解読して所望字幕言語の実体データが存在するかチェックする（図１１のステップＳ１５４、Ｓ１５５）。存在すれば、今回選択された字幕言語で一時再生条件中の音声方式を変更する（ステップＳ１５２）。そして、変更後の一時再生条件に従いタイトルｉの再生を続行させる（ステップＳ１５３）。
【００４１】
（１０）タイトルの再生中のアングルの変更
タイトルｉの再生中に操作部６でアングルの変更操作がされると、コントロール部１０はビデオタイトルセット・プログラムチェーン情報を参照して、所望タイトルｉに関して変更後のアングルが存在するか判断し、存在すれば更に、データストリーム再生部２を制御し、所望タイトルｉの所望アングルの実体データを構成するセルのセル位置をサーチさせ、該セルデータを読み取らせて入力し、解読して所望アングルの実体データが存在するかチェックする（ステップＳ１５６、Ｓ１５７）。存在すれば、今回選択されたアングルで一時再生条件中のアングルを変更する（ステップＳ１５２）。そして、変更後の一時再生条件に従いタイトルｉの再生を続行させる（ステップＳ１５３）。
【００４２】
（１１）タイトルの再生中の字幕表示機能オン・オフ
タイトルｉの再生中に操作部６で字幕表示機能オン（オフ）操作がされると、コントロール部１０は一時再生条件中の字幕表示機能をオン（オフ）する（ステップＳ１５８、Ｓ１５２）。そして、変更後の一時再生条件に従いタイトルｉの再生を続行させる（ステップＳ１５３）。
【００４３】
（１２）タイトルの再生中のチャプター変更
タイトルｉの再生中に操作部６でチャプター変更操作がされると、コントロール部１０はＶＴＳＩのチャプター検索テーブルの中に変更後のチャプターが存在するかチェックし、存在すれば更にデータストリーム再生部２を制御し、所望タイトルｉの所望チャプターの実体データを構成するセルのセル位置をサーチさせ、該セルデータを読み取らせて入力し、解読して所望チャプターの実体データが存在するかチェックする（ステップＳ１５９、Ｓ１６０）。存在すれば、今回選択されたチャプター番号をｊとして登録する（ステップＳ１６２）。そして、データストリーム再生部２とＡＶデコーダ部５を制御し、変更後のチャプターから再生を開始させる（図９のステップＳ１２７）。
【００４４】
（１３）ディスク記録内容構成の表示
ところで、タイトルメニューによりユーザはＤＶＤビデオディスク１に記録されたタイトル数が判るが、タイトルメニューからはルートメニュー及び下位メニューの有無、アングル切り換え可能なタイトルの有無、カラオケ機能が使用可能なタイトルの有無、視聴年齢制限機能が使用可能なタイトルの有無について知ることができない。一方、所望タイトルの再生中または再生準備中にルートメニューと下位メニューを呼び出せば、ユーザは所望タイトルにつき、アングル選択、字幕言語の選択、チャプターの選択、音声方式の選択ができる。しかし、ルートメニューと下位メニューではタイトルメニューの有無、カラオケ機能が可能なタイトルの有無、視聴年齢制限機能の使用可能なタイトルの有無についてを知ることができず、また、再生中のタイトルのアングル数、字幕言語数、チャプター数、音声方式の数と内容について簡単に把握することができない。このため、タイトルメニューやルートメニューだけでは、ユーザはＤＶＤビデオディスク１がどのような機能を利用可能であるか良く判らない（タイトルメニューやルートメニューの無い場合も当然、どのような機能を利用可能であるか良く判らない）。音声方式について言えばＤＶＤプレーヤとＡＶアンプ及びスピーカのシステム構成に叶った機能選択をするのが難しかった。例えば、ＤＶＤビデオディスク１には２チャンネルの音声信号しか記録されていないにも関わらず、ＡＣ３デコーダ内蔵のＡＶアンプとディジタル接続していた場合、当然２チャンネルの音響再生しかされないがユーザにはどうして５．１ｃｈで出力されないのか容易には理解できない。
【００４５】
例えば、タイトルｉの再生中にユーザがＤＶＤビデオディスク１の中のタイトル数、タイトルメニューの有無、ルートメニュー及び下位メニューの有無、アングルアングル切り換え可能なタイトルの有無、カラオケ機能が使用可能なタイトルの有無、視聴年齢制限機能が使用可能なタイトルの有無について知りたい場合、操作部６でディスク記録内容構成情報の呼び出し操作をする。すると、コントロール部１０は図１１の１６２でＹＥＳと判断し、タイトルメニューの有無を示すフラグＴＴＭＦ、ルートメニューの有無を示すフラグＲＴＭＦ、ルートメニューの下位メニューであるチャプターメニュー、オーディオメニュー、サブタイトルメニュー、アングルメニューの各々の有無を示すフラグＣＰＭＦ、ＡＤＭＦ、ＳＴＭＦ、ＡＧＭＦ、アングル切り替え可能なタイトルの有無を示すフラグＡＧＦ、カラオケ機能の使用可能なタイトルの有無を示すフラグＫＯＦ、視聴年齢制限機能の使用可能なタイトルの有無を示すフラグＰＬＦを全てクリアして０とする（図１２のステップＳ１７０）。そして、現在の再生位置ＰＤを記憶し、データストリーム再生部２とＡＶデコーダ部５を制御して再生を一時停止させる（ステップＳ１７１）。
【００４６】
次に、コントロール部１０はナビゲーション情報記憶部４に記憶されたＶＭＧＩの中にビデオマネージャメニュー・プログラムチェーン情報（ＰＧＣＩ）が存在するかチェックし、ＹＥＳであればさらにデータストリーム再生部２を制御して、ビデオマネージャメニュー・ビデオオブジェクトセット（ＶＭＧＭ＿ＶＯＢＳ）の開始位置からセルデータを読み取らせて入力し、解読してタイトルメニューの実体データが存在するかチェックし、ＹＥＳであればタイトルメニューが存在すると判断しＴＴＭＦを１とする（ステップＳ１７２〜Ｓ１７６）。これにより、実体データ付のタイトルメニューの有無が判別できる。
【００４７】
次に、ビデオタイトルセット番号ｎを１とし（ステップＳ１７７）、データストリーム再生部２を制御してＤＶＤビデオディスク１からＶＴＳｎのＶＴＳＩ（以下、ＶＴＳＩｎと略す）を読み取らせてナビゲーション情報記憶部４に記憶させたのち（ステップＳ１７８）、ＶＴＳＩｎのビデオタイトルセットメニュー・プログラムチェーン情報（ＰＧＣＩ）ユニットテーブルを参照して、任意言語（または現在の一時再生条件のメニュー言語でも良い）でのルートメニューのＰＧＣＩが存在するかチェックし（ステップＳ１７９）、存在すれば、該ＰＧＣＩを参照して更にデータストリーム再生部２を制御し、任意言語（または現在の一時再生条件のメニュー言語でも良い）でのルートメニューの実体データ（ビデオタイトルセットメニュー・ビデオオブジェクトセット）を構成する先頭セルのセル位置をサーチさせ、該セルデータを読み取らせて入力し、解読してルートメニューの実体データが存在するかチェックする（ステップＳ１８０、Ｓ１８１）。ＹＥＳであればルートメニューが存在すると判断しＲＴＭＦを１とする（ステップＳ１８２、Ｓ１８３）。
【００４８】
次に、ＶＴＳＩｎのビデオタイトルセットメニュー・プログラムチェーン情報（ＰＧＣＩ）ユニットテーブルを参照して、任意言語（または現在の一時再生条件のメニュー言語でも良い）でのチャプターメニューのＰＧＣＩが存在するかチェックし（図１３のステップＳ１９０）、存在すれば、該ＰＧＣＩを参照して更にデータストリーム再生部２を制御し、任意言語（または現在の一時再生条件のメニュー言語でも良い）でのチャプターメニューの実体データを構成する先頭セルのセル位置をサーチさせ、該セルデータを読み取らせて入力し、解読してチャプターメニューの実体データが存在するかチェックする（ステップＳ１９１、Ｓ１９２）。ＹＥＳであればチャプターメニューが存在すると判断しＣＰＭＦを１とする（ステップＳ１９３、Ｓ１９４）。
【００４９】
次に、ＶＴＳＩｎのビデオタイトルセットメニュー・プログラムチェーン情報（ＰＧＣＩ）ユニットテーブルを参照して、任意言語（または現在の一時再生条件のメニュー言語でも良い）でのオーディオメニューのＰＧＣＩが存在するかチェックし（ステップＳ１９５）、存在すれば、該ＰＧＣＩを参照して更にデータストリーム再生部２を制御し、任意言語（または現在の一時再生条件のメニュー言語でも良い）でのオーディオメニューの実体データを構成する先頭セルのセル位置をサーチさせ、該セルデータを読み取らせて入力し、解読してオーディオメニューの実体データが存在するかチェックする（ステップＳ１９６、Ｓ１９７）。ＹＥＳであればオーディオメニューが存在すると判断しＡＤＭＦを１とする（ステップＳ１９８、Ｓ１９９）。
【００５０】
次に、ＶＴＳＩｎのビデオタイトルセットメニュー・プログラムチェーン情報（ＰＧＣＩ）ユニットテーブルを参照して、任意言語（または現在の一時再生条件のメニュー言語でも良い）でのサブタイトルメニューのＰＧＣＩが存在するかチェックし（図１４のステップＳ２００）、存在すれば、該ＰＧＣＩを参照して更にデータストリーム再生部２を制御し、任意言語（または現在の一時再生条件のメニュー言語でも良い）でのサブタイトルメニューの実体データを構成する先頭セルのセル位置をサーチさせ、該セルデータを読み取らせて入力し、解読してサブタイトルメニューの実体データが存在するかチェックする（ステップＳ２０１、Ｓ２０２）。ＹＥＳであればサブタイトルメニューが存在すると判断しＳＴＭＦを１とする（ステップＳ２０３、Ｓ２０４）。
【００５１】
次に、ＶＴＳＩｎのビデオタイトルセットメニュー・プログラムチェーン情報（ＰＧＣＩ）ユニットテーブルを参照して、任意言語（または現在の一時再生条件のメニュー言語でも良い）でのアングルメニューのＰＧＣＩが存在するかチェックし（ステップＳ２０５）、存在すれば、該ＰＧＣＩを参照して更にデータストリーム再生部２を制御し、任意言語（または現在の一時再生条件のメニュー言語でも良い）でのアングルメニューの実体データを構成する先頭セルのセル位置をサーチさせ、該セルデータを読み取らせて入力し、解読してアングルメニューの実体データが存在するかチェックする（ステップＳ２０６、Ｓ２０７）。ＹＥＳであればアングルメニューが存在すると判断しＡＧＭＦを１とする（ステップＳ２０８、Ｓ２０９）。そして、最後のビデオタイトルセットまで終わったかチェックし、ＮＯであればｎをインクリメントして図１２のステップＳ１７８に戻り同様の処理を繰り返す（ステップＳ２１０、Ｓ２１１）。
これにより、実体データ付のルートメニュー及び下位メニューの有無が判別できる。
【００５２】
ステップＳ２１１でＹＥＳとなれば、コントロール部１０はＶＭＧＩのタイトル検索用テーブルを参照して、タイトル数を求めてＮとし（ステップＳ２２０）、アングル切り替え可能なタイトルの有無を判別して有る場合はＡＧＦを１とし（ステップＳ２２１〜Ｓ２２３）、視聴年齢制限機能の使用可能なタイトルの有無を判別して有る場合はＰＬＦを１とする（ステップＳ２２４〜Ｓ２２６）。また、ＶＭＧＩのビデオタイトルセット属性情報テーブルを参照して、カラオケ機能の使用可能なタイトルの有無を判別して有る場合はＰＬＦを１とする（ステップＳ２２７〜Ｓ２２９）。
【００５３】
そして、ＴＴＭＦ、ＲＴＭＦ、ＣＰＭＦ、ＡＤＭＦ、ＳＴＭＦ、ＡＧＭＦ、ＡＧＦ、ＫＯＦ、ＰＬＦ、Ｎに基づき、記録内容構成案内映像作成部８を制御し、ＤＶＤビデオディスク１に記録されたタイトル数、タイトルメニューの有無、ルートメニュー及び下位メニューの有無、アングル切り換え可能なタイトルの有無、カラオケ機能が使用可能なタイトルの有無、視聴年齢制限機能が使用可能なタイトルの有無という記録内容構成情報を示すビデオ信号を作成させて合成部９へ出力させる（図１６のステップＳ２３０）。この結果、画面には図２０に示す如くディスク記録内容構成情報が表示される。この画面からユーザはＤＶＤビデオディスク１につきどのような再生機能を利用できるか一目で簡単に把握できる。具体的には、複数タイトル存在するときにタイトルの見落としを防ぐことができ、タイトルメニュー、ルートメニュー及び各種下位メニューが存在するか否か判るので、メニュー呼び出し操作の可否が判断できる。更に、アングル切り換え可能なタイトルが存在するか否か判るので、マルチアングルシーンでの他のアングルの見逃しを防ぐことができ、カラオケ機能付のタイトル、視聴年齢制限機能付のタイトルでカラオケ機能、視聴年齢制限機能を利用し忘れないようにできる。このようにディスク記録内容構成情報により、ＤＶＤビデオディスク１の記録内容構成を最大限生かした利用が可能となる。
【００５４】
この際、各種メニューについてはＰＧＣＩと実体データの両方が存在する場合に限ってメニュー有りの判断がされるので、制作者の意図でメニューのＰＧＣＩだけ有って実体データがない場合にはメニュー無しと表示されるためディスク構成内容を正確に反映した情報を表示可能となる（メニューのＰＧＣＩだけ有って実体データがない場合にメニュー有りと表示したとき、ユーザはメニューが存在するものとしてメニュー呼び出し操作をするが、実際にはメニューが表示されず、無駄な操作となる）。
【００５５】
このようにしてディスク記録内容構成を確認後、操作部６でディスク記録内容構成情報の呼び出し終了操作をすると、コントロール部１０は記録内容構成案内映像作成部８を制御してビデオ信号の出力を停止させ、ＰＤを用いてデータストリーム再生部２とＡＶデコーダ部５を制御し、先に再生を一時停止した箇所から再生を再開させる（ステップＳ２３１〜Ｓ２３３）。
【００５６】
（１４）タイトル記録内容構成の表示
これと異なりユーザがタイトルｉ（ここでは一例としてｉ＝７とする）の再生中に、タイトル７についてチャプター数、アングル数、音声方式の切り替え可能な数と属性、サブタイトルの数について知りたい場合、操作部６でタイトル記録内容構成情報の呼び出し操作をする。すると、コントロール部１０は図１１の１６３でＹＥＳと判断し、現在の再生位置ＰＤを記憶し、データストリーム再生部２とＡＶデコーダ部５を制御して再生を一時停止させる（図１７のステップＳ２４０、Ｓ２４１）。
【００５７】
次に、コントロール部１０はナビゲーション情報記憶部４に記憶されたＶＭＧＩのタイトル検索テーブルを参照してタイトル番号７のチャプター数を求めてｍとし（ステップＳ２４１）、またナビゲーション情報記憶部４に記憶されたタイトル番号７のタイトルを含むＶＴＳのＶＴＳＩのチャプター検索テーブルを参照してタイトル番号７のチャプター数を求めてｍ´とする（ステップＳ２４２）。ｍとｍ´が一致すればｍ、ｍ´が実体データを伴うチャプターの正しい数と信頼できるので確定チャプター数Ｍ＝ｍとする（ステップＳ２４３、Ｓ２４４）。
若し、ｍ≠ｍ´であればチャプター検索テーブルに基づき、データストリーム再生部２を制御して、ＤＶＤビデオディスク１のタイトル７の実体データの内、チャプター検索テーブルの示す各チャプターの先頭セルを検索させてセルデータを読み取らせて入力し、解読して実体データの存在したチャプターの数を求めＭとする（ステップＳ２４５）。これにより、実体データ付のチャプターの数が判る。
【００５８】
次に、コントロール部１０はＶＭＧＩのタイトル検索テーブルを参照してタイトル番号７のアングル数を求めてｋとし（ステップＳ２４６）、またナビゲーション情報記憶部４に記憶されたタイトル番号７のタイトルを含むＶＴＳのＶＴＳＩのビデオタイトルセット・プログラムチェーン情報（ＰＧＣＩ）テーブルを参照してタイトル番号７のアングル数を求めてｋ´とする（ステップＳ２４７）。ｋとｋ´が一致すればｋ、ｋ´が実体データを伴うアングルの正しい数と信頼できるので確定アングル数Ｋ＝ｋとする（ステップＳ２４８、Ｓ２４９）。
若し、ｋ≠ｋ´であればビデオタイトルセット・プログラムチェーン情報テーブルに基づき、データストリーム再生部２を制御して、ＤＶＤビデオディスク１のタイトル７の実体データの内、アングルブロックを構成する複数のセルを検索させてセルデータを読み取らせて入力し、解読して実体データの存在したアングル数を求めＭとする（ステップＳ２５０）。これにより、実体データ付のアングルの数が判る。
【００５９】
次に、コントロール部１０はＶＭＧＩのタイトル番号７を含むビデオタイトルセットのビデオタイトルセット属性情報テーブル（ＶＴＳ＿ＡＴＲＴ）を参照してタイトル番号７の音声ストリーム数を求めてｘとし（図１８のステップＳ２５１）、またタイトル番号７のタイトルを含むＶＴＳのＶＴＳＩ中のビデオタイトルセット情報管理テーブルを参照してタイトル番号７の音声ストリーム数を求めてｘ´とする（ステップＳ２５２）。ｘとｘ´が一致すればｘ、ｘ´が実体データを伴う音声ストリームの正しい数と信頼できるので確定音声ストリーム数Ｘ＝ｘとする（ステップＳ２５３、Ｓ２５４）。
若し、ｘ≠ｘ´であればビデオタイトルセット・プログラムチェーン情報テーブルに基づき、データストリーム再生部２を制御して、ＤＶＤビデオディスク１のタイトル番号７の実体データの内、先頭セルを検索させてセルデータを読み取らせて入力し、解読して実体データの存在する音声ストリーム数を求めてＸとする（ステップＳ２５５）。これにより、実体データ付の音声ストリーム数が判る。
【００６０】
次に、コントロール部１０はＶＭＧＩのタイトル番号７を含むビデオタイトルセットのビデオタイトルセット属性情報テーブルを参照してタイトル番号７の音声方式の組み合わせを求めてＡＤｄとし（ステップＳ２５６）、またタイトル番号７のタイトルを含むＶＴＳのＶＴＳＩ中のビデオタイトルセット情報管理テーブルを参照してタイトル番号７の音声方式の組み合わせを求めてＡＤｄ´とする（ステップＳ２５７）。ＡＤｄとＡＤｄ´が一致すればＡＤｄ、ＡＤｄ´が実体データを伴う音声方式の正しい組み合わせと信頼できるので確定組み合わせＤ＝ＡＤｄとする（ステップＳ２５８、Ｓ２５９）。
若し、ＡＤｄ≠ＡＤｄ´であればビデオタイトルセット・プログラムチェーン情報テーブルに基づき、データストリーム再生部２を制御して、ＤＶＤビデオディスク１のタイトル番号７の実体データの内、先頭セルを検索させてセルデータを読み取らせて入力し、解読して実体データの存在する音声方式の組み合わせを求めてＤとする（ステップＳ２６０）。これにより、実体データ付の音声方式の組み合わせが判る。
【００６１】
次に、コントロール部１０はＶＭＧＩのタイトル番号７を含むビデオタイトルセットのビデオタイトルセット属性情報テーブルを参照してタイトル番号７のサブタイトル数を求めてｙとし（ステップＳ２６１）、またタイトル番号７のタイトルを含むＶＴＳのＶＴＳＩ中のビデオタイトルセット情報管理テーブルを参照してタイトル番号７のサブタイトル数を求めてｙ´とする（ステップＳ２６２）。ｙとｙ´が一致すればｙ、ｙ´が実体データを伴うサブタイトル数と信頼できるので確定サブタイトル数Ｙ＝ｙとする（ステップＳ２６３、Ｓ２６４）。
若し、ｙ≠ｙ´であればビデオタイトルセット・プログラムチェーン情報テーブルに基づき、データストリーム再生部２を制御して、ＤＶＤビデオディスク１のタイトル番号７の実体データの内、先頭セルを検索させてセルデータを読み取らせて入力し、解読して実体データの存在するサブタイトルの数を求めてＹとする（ステップＳ２６５）。これにより、実体データ付のサブタイトルの数が判る。
【００６２】
そして、Ｍ、Ｋ、Ｄ、Ｙに基づき、記録内容構成案内映像作成部８を制御し、ＤＶＤビデオディスク１に記録されたタイトル番号７のチャプター数、アングル数、音声方式の切り替え可能な数（音声ストリーム数）、音声方式の組み合わせ（再生中の音声方式と再生中でない方式に分ける）、サブタイトル数という記録内容構成の案内情報を示すビデオ信号を作成させて合成部９へ出力させる（図２１のステップＳ２７０）。この結果、画面には図２１に示す如く再生中のタイトル番号７のタイトル記録内容構成情報が表示される。この画面からユーザは再生中のタイトルにつきどのような再生機能を利用できるか一目で簡単に把握できる。具体的には、複数チャプターが存在するときにチャプター検索により所望チャプターに素早く移行することができ、マルチアングルシーンが存在する場合に、他のアングルからの映像を楽しむことができ、音声方式が複数有る場合に、オーディオ再生システム構成に叶った音声方式に設定でき、字幕言語が複数存在する場合に所望言語に設定できる。このようにタイトル記録内容構成情報により、再生中のタイトルの記録内容構成を最大限生かした利用が可能となる。
【００６３】
タイトル記録内容構成を確認後、操作部６でタイトル記録内容構成情報の呼び出し終了操作をすると、コントロール部１０は記録内容構成案内映像作成部８を制御してビデオ信号の出力を停止させ、ＰＤを用いてデータストリーム再生部２とＡＶデコーダ部５を制御し、先に再生を一時停止した箇所から再生を再開させる（ステップＳ２７１〜Ｓ２７３）。
【００６４】
この実施の形態によれば、或るタイトルの再生中に操作部６でディスク記録内容構成情報呼び出し操作をすると、コントロール部１０は再生を一時中断して、ＤＶＤビデオディスク１から読みだしたＶＭＧＩ、ＶＴＳＩなどを用いて、ＤＶＤビデオディスク１に記録されたタイトル数、実体データ付のタイトルメニューの有無、実体データ付のルートメニュー及び下位メニュー（チャプターメニュー、アングルメニュー、オーディオメニュー、サブタイトルメニュー）の有無、アングル切り換え可能なタイトルの有無、カラオケ機能が使用可能なタイトルの有無、視聴年齢制限機能が使用可能なタイトルの有無を判別し、ディスク記録内容構成情報を表示させる。よって、ユーザはＤＶＤビデオディスク１につきどのような再生機能を利用できるか一目で簡単に把握できる。複数タイトル存在するときにタイトルの見落としを防ぐことができ、実体データ付のタイトルメニュー、ルートメニュー及び各種下位メニューが存在するか否か判るので、メニュー呼び出し操作を確実に行えるメニューの種類が判断できる。更に、アングル切り換え可能なタイトルが存在するか否か判るので、マルチアングルシーンでの他のアングルの見逃しを防ぐことができ、カラオケ機能付のタイトル、視聴年齢制限機能付のタイトルでカラオケ機能、視聴年齢制限機能を利用し忘れないようにできる。
【００６５】
また、或るタイトルの再生中に操作部６でタイトル記録内容構成情報呼び出し操作をすると、コントロール部１０は再生を一時中断して、ＤＶＤビデオディスク１から読みだしたＶＭＧＩ、ＶＴＳＩなどを用いて、再生中のタイトルのチャプター数、アングル数、オーディオストリーム数と音声方式の組み合わせ、サブピクチャー数を判別し、タイトル記録内容構成情報を表示させる。よって、ユーザは再生中のタイトルにつきどのような再生機能を利用できるか一目で簡単に把握できる。具体的には、複数チャプターが存在するときにチャプター検索により所望チャプターに素早く移行することができ、マルチアングルシーンが存在する場合に、他のアングルからの映像を楽しむことができ、音声方式が複数有る場合に、オーディオ再生システム構成に叶った音声方式に設定でき、字幕言語が複数存在する場合に所望言語に設定できる。このようにタイトル記録内容構成情報により、再生中のタイトルの記録内容構成を最大限生かした利用が可能となる。タイトル記録内容構成情報はＶＭＧＩとＶＴＳＩとで矛盾が有る場合、実体データの存在を確認して判断するので、正確な情報提示が可能となる。
【００６６】
なお、上記した実施の形態では、ディスク記録内容構成の案内情報のビデオ信号はＡＶデコーダ部６から出力されるビデオ信号に重ねて主映像の表示されるモニタ上に画面表示させるようにしたが、主映像の表示されるモニタとは別の表示器（例えば、十分な表示領域を持つ表示部７など）へ出力して表示させるようにしても良い。
【００６７】
また、ディスク記録内容構成情報の表示は或るタイトルの再生中にディスク記録内容構成情報の呼び出し操作がされたとき実行されるようにしたが、再生停止中、メニュー表示中、ダイレクトタイトル選択後でＰＬＡＹキーが押される前の再生準備中であってもディスク記録内容構成情報の呼び出し操作がされたとき、実行されるようにしても良い。
また、タイトル記録内容構成情報の表示も或るタイトルの再生中にディスク記録内容構成情報の呼び出し操作がされたとき実行されるようにしたが、ダイレクトタイトル選択後でＰＬＡＹキーが押される前の再生準備中であってもタイトル記録内容構成情報の呼び出し操作がされたとき、実行されるようにしても良い。
【００６８】
また、上記した実施の形態では、ダイレクトタイトル選択したあと、ＰＬＡＹキーの操作をまって所望タイトルを再生するようにしたが（図４のステップＳ３８）、図４のステップＳ３７の処理のあとステップＳ３９へ移行するようにして、ＰＬＡＹキーの操作を待たずに所望タイトルの再生を実行するようにしても良い。
【００６９】
【発明の効果】
本発明によれば、ディスクの記録内容の構成（タイトル数、各種メニュー画面の有無、アングル切り替え可能なタイトルの有無、視聴年齢制限機能の使用可能なタイトルの有無、カラオケ機能の使用可能なタイトルの有無の内、少なくとも１つ）が一目で判るので、ディスクの記録内容を十分に生かして利用することができる。各種メニュー画面については、ナビゲーション情報と実体データの両方を調べて判別することにより、メニューの有無を正確に知ることができる。
また他の発明によれば、所望タイトルまたは再生中の記録内容の構成（例えば、チャプター数、アングル数、音声方式の切り替え可能な数と種類、サブタイトル数など）が一目で判るので、所望タイトルの記録内容を十分に生かして利用することができる。また、タイトルの記録構成はナビゲーション情報と実体データの両方を調べて判別するため、メニューの有無を正確に知ることができる。
【図面の簡単な説明】
【図１】
本発明の一つの実施の形態に係るＤＶＤプレーヤの構成図である。
【図２】
ＤＶＤビデオの記録内容の説明図である。
【図３】
図１中のコントロール部の制御処理を示すフローチャートである。
【図４】
図１中のコントロール部の制御処理を示すフローチャートである。
【図５】
図１中のコントロール部の制御処理を示すフローチャートである。
【図６】
図１中のコントロール部の制御処理を示すフローチャートである。
【図７】
図１中のコントロール部の制御処理を示すフローチャートである。
【図８】
図１中のコントロール部の制御処理を示すフローチャートである。
【図９】
図１中のコントロール部の制御処理を示すフローチャートである。
【図１０】
図１中のコントロール部の制御処理を示すフローチャートである。
【図１１】
図１中のコントロール部の制御処理を示すフローチャートである。
【図１２】
図１中のコントロール部の制御処理を示すフローチャートである。
【図１３】
図１中のコントロール部の制御処理を示すフローチャートである。
【図１４】
図１中のコントロール部の制御処理を示すフローチャートである。
【図１５】図１中のコントロール部の制御処理を示すフローチャートである。
【図１６】図１中のコントロール部の制御処理を示すフローチャートである。
【図１７】図１中のコントロール部の制御処理を示すフローチャートである。
【図１８】図１中のコントロール部の制御処理を示すフローチャートである。
【図１９】図１中のコントロール部の制御処理を示すフローチャートである。
【図２０】ディスク記録内容構成情報の表示画面を示す説明図である。
【図２１】タイトル記録内容構成情報の表示画面を示す説明図である。
【符号の説明】
１　ＤＶＤビデオディスク　　　　　２　データストリーム再生部
４　ナビゲーション情報記憶部　　　５　ＡＶデコーダ部
６　操作部　　　　　　　　　　　　７　表示部
８　記録内容構成案内映像作成部
【図１】
2004048396.tif 000003
【図２】
2004048396.tif 000004
【図３】
2004048396.tif 000005
【図４】
2004048396.tif 000006
【図５】
2004048396.tif 000007
【図６】
2004048396.tif 000008
【図７】
2004048396.tif 000009
【図８】
2004048396.tif 000010
【図９】
2004048396.tif 000011
【図１０】
2004048396.tif 000012
【図１１】
2004048396.tif 000013
【図１２】
2004048396.tif 000014
【図１３】
2004048396.tif 000015
【図１４】
2004048396.tif 000016
【図１５】
2004048396.tif 000017
【図１６】
2004048396.tif 000018
【図１７】
2004048396.tif 000019
【図１８】
2004048396.tif 000020
【図１９】
2004048396.tif 000021
【図２０】
2004048396.tif 000022
【図２１】
2004048396.tif 000023